(57)【要約】【課題】  血圧測定時の腕を安定な状態とし、血圧測定を正確に行える血圧測定装置を提供する。【解決手段】  本体１に、挿入された腕に腕帯を自動的に巻付ける腕帯部３を備える。腕帯部３は、この腕帯部３の後側に出入可能な腕置き部３１を有する。腕置き部３１の先端部３２の腕載置面が、先端部３２以外の腕載置面の延伸方向に対して角度β＝２〜７°(好適には約４°)の角度で本体１の上側に延びている。このようにすることで、先端部３２を含む腕置き部３１が腕の形状に一層フィットし易くなり、腕の安定性が更に増し、より正確な血圧測定を行うことができる。【選択図】      図１２
2005095657.tif 000002
【特許請求の範囲】
【請求項１】
本体に、挿入された腕に腕帯を自動的に巻付ける腕帯部を備える装置において、
前記腕帯部は、この腕帯部の後側に出入可能な腕置き部を有し、前記腕置き部の先端部の腕載置面は、先端部以外の腕載置面の延伸方向に対して２〜７°の角度で本体の上側に延びていることを特徴とする血圧測定装置。
【発明の詳細な説明】
【技術分野】
【０００１】
本発明は、腕に腕帯を自動的に巻付ける据え置きタイプの血圧測定装置に関する。
【背景技術】
【０００２】
従来、その種の血圧測定装置としては、図２３及び図２４に示すように、本体２００に、測定値等を表示する表示部２０１と、挿入された腕に腕帯を自動的に巻付ける腕帯部２０２とを備えた装置において、腕帯部２０２の腕置き部が下腕の中心（肘と手首との間の中心）より短い装置がある（例えば、特許文献１参照）。この装置では、腕帯部２０２に腕を挿入したときに、下腕の大部分が腕置き部から突出し、支持されない状態になる。
【特許文献１】登録実用新案第３００１６８３号公報
【発明の開示】
【発明が解決しようとする課題】
【０００３】
しかしながら、上記装置には、下腕の大部分が支持されず、腕が不安定なため、血圧測定中に腕が動いたり、余分な力が掛かったりして、正確な血圧測定ができない、という問題点がある。
【０００４】
従って、本発明は、そのような問題点に着目してなされたもので、血圧測定時の腕を安定な状態とし、血圧測定を正確に行える血圧測定装置を提供することを目的とする。
【課題を解決するための手段】
【０００５】
前記目的を達成するために、本発明の血圧測定装置は、本体に、挿入された腕に腕帯を自動的に巻付ける腕帯部を備える装置において、前記腕帯部がこの腕帯部の後側に出入可能な腕置き部を有し、前記腕置き部の先端部の腕載置面が、先端部以外の腕載置面の延伸方向に対して２〜７°の角度で本体の上側に延びていることを特徴とする。
【発明の効果】
【０００６】
本発明によれば、血圧測定時、即ち腕帯部に腕を挿入するときは腕置き部を腕帯部から後方に引き出すことで、特に下腕の中心よりも手首側の部分が腕置き部に支持され、腕が安定するので、血圧測定中に腕が動いたり、余分な力が加わったりせず、正確な血圧測定を行うことができる。
【０００７】
また、腕置き部を含む腕帯部が腕の形状に一層フィットし易くなり、腕の安定性が更に向上し、より正確な血圧測定を行うことができる。
【０００８】
更に、血圧測定を行わないときは、腕置き部を引っ込めておけば、装置の背部がすっきりするだけでなく、省スペースになる。
【発明を実施するための最良の形態】
【０００９】
以下、本発明を実施形態に基づいて説明する。
【００１０】
その一実施形態に係る血圧測定装置の外観斜視図を図１に、その背面図を図２に、正面図を図３に、平面図を図４に、左側面図を図５に、右側面図を図６に示す。この血圧測定装置は、本体１に、測定値等を表示する表示部２と、挿入された腕に腕帯を自動的に巻付ける腕帯部３と、測定値等を印字出力するプリンタ部４とを備える。
【００１１】
表示部２は、本体１の左側後方に視認し易いように起立状に配置され、最高血圧表示部分２１、最低血圧表示部分２２及び脈拍数表示部分２３を有する。又、表示部２には、時計表示用ＬＥＤ２４と案内用ＬＥＤ２５が設けられている。案内用ＬＥＤ２５は、例えば上から順に“測定できます”、“腕を動かさないでください”、“もう一度測定してください”を表示するものである。
【００１２】
腕帯部３は腕帯３０を有し、この腕帯部３に腕（ここでは右腕）を挿入し、腕帯３０により腕が圧迫される。プリンタ部４は、開閉可能なプリンタカバー４０を有し、内部にプリンタ及び印字用紙が収納されている。なお、腕帯部３及びプリンタ部４の詳細な構造については後述する。
【００１３】
又、本体１には、腕帯３０を腕に巻付ける動作を緊急停止する非常停止ボタン５が表示部２と腕帯部３との間の本体１部分（本体１の上面）に配置されている。こうすることで、血圧測定中でも非常停止ボタン５が良く見えるだけでなく、押し易い位置にあるので、異常時に非常停止ボタン５を素早く押すことができ、異常時の安全性が高い。更に、測定の開始スイッチ６と停止スイッチ７は、プリンタ部４の左側に配置されている。
【００１４】
一方、本体１の背面側には、電源スイッチ５０、インレット５１、アース５２、ヒューズ５３、較正用ポート５４、時計表示の有無を切り換える時計表示スイッチ５５、音量ボリューム５６、印字パターン・印字無しの切り換えを行う印字スイッチ５７、測定モード・較正モード・時刻合せモードの切り換えを行うモードスイッチ５８が設けられている。更に、ユーザへの操作方法等を記したパネル９を支持するパネル支持部５９が設けられている。
【００１５】
図４から明らかなように、腕帯部３への腕の挿入方向（一点鎖線Ｗ）は、表示部２の中心線（一点鎖線Ｖ）に対して本体１の前側から後側に向かって拡開状の角度αを成す。この角度αは、５〜３０°が適当であり、好適には約１３°である。従って、図２１、図２２に示すように、被測定者Ｍが右腕を腕帯部３に挿入し、測定体勢を取ると、右腕が本体１の手前側から後側に向かって拡開状になり、表示部２の中心線Ｖと右腕の挿入方向Ｗが交差する様態となる。この結果、血圧測定時に表示部２を見ながら自然で楽な姿勢を取ることができ、上体が前屈みにならず、腹圧も掛からず、血圧測定を正確に行うことができる。
【００１６】
次に、腕帯部３における腕帯３０の可動端３０ａの移動機構について、図７（主要部の平面図）、図８（主要部の正面図）、図９の（ａ）（図８のＡ−Ａ線における断面図）及び図９の（ｂ）（図８のＢ−Ｂ線における断面図）に示す。この移動機構では、本体１内部に取付けられる平板状のシャーシ１０に、モータ６０がブラケット６１により固定され、モータ６０の回転軸にプーリ６２が取付けられている。プーリ６２から反対側に間隔を置いて別のプーリ６３が回転軸・軸受６４により回転可能に支持され、回転軸・軸受６４はシャーシ１０にブラケット６５で固定されている。両プーリ６２，６３にはベルト６６が掛けられ、モータ６０の作動により両プーリ６２，６３が回転するようになっている。      
【００１７】
両プーリ６２，６３間には、一対のシャフト６７ａ，６７ｂが平行に配置され、シャフト６７ａ，６７ｂは、腕帯３０の可動端３０ａが取付けられたスライダ７０を左右方向に移動可能に支持・案内する。ここでは、腕帯３０の腕挿入方向（後方下向き方向）に応じて、前側のシャフト６７ａが後側のシャフト６７ｂよりも上側に位置し〔図８及び図９の（ａ），（ｂ）参照〕、前側のシャフト６７ａはスライダ７０を貫通し、後側のシャフト６７ｂはスライダ７０に係合する。又、スライダ７０にはベルト６６が取付けられ、ベルト６６の移動に伴ってスライダ７０が左右方向に移動するようになっている。
【００１８】
シャーシ１０上のプーリ６３側には原点検出スイッチ１５が設けられると共に、プーリ６２側には巻付け限界検出スイッチ１６が設けられている。スイッチ１５，１６は、スライダ７０の左右方向の移動を規制するためのもので、原点検出スイッチ１５は、腕帯３０の初期状態（巻付け開始前の状態）を検出し、スライダ７０が検出されると、腕帯３０が最大に緩んだ状態となる。巻付け限界検出スイッチ１６は、腕帯３０の最大の巻付け状態を検出し、スライダ７０が検出されると、それ以上の巻付けは行われない。
【００１９】
スライダ７０は、図９の（ａ）に示すように、上下のプレート７１で腕帯３０の可動端３０ａを挟持すると共に、両側のネジ７２で可動端３０ａを固定するようになっている。ベルト６６は上下のホルダ７３でスライダ７０に挟持・固定される。図９の（ｂ）において、腕帯３０は、シャーシ１０に取付けられたベース１１に取付けられ、その移動が腕帯ガイド１３により案内される。
【００２０】
図１０は、腕帯３０の移動機構以外の内部構造を示す平面図である。この構造では、ポンプ８０からの空気は、タンク８１、パイプ８３を通じて腕帯３０に供給されるようになっており、供給された空気は、タンク８１に接続されている弁８２により排気される。又、パイプ８３は較正用ポート５４にも連通している。更に、動作音等を発するスピーカ８５が中央部付近に配置され、電源用のトランス８６が電源スイッチ５０とインレット５１に近接して配置されている。
【００２１】
一方、図１１及び図１２において、腕帯部３は、この腕帯部３の後側に出入可能な腕置き部３１を有する。腕置き部３１は、腕帯部３に設けられた腕置き部収納部３３に対し出入可能であり、腕置き部収納部３３にスライド可能に嵌合している。スライド機構は、例えば腕置き部収納部３３に設けられたガイドピン３５が腕置き部３１に形成された切欠き３１ａに嵌まることで、腕置き部３１がガイドピン３５により案内されるものである。勿論、腕置き部３１は腕置き部収納部３３から抜けないようになっている。
【００２２】
腕置き部３１は、腕置き部収納部３３が後方上向きに延びていることから、収納部３３から後方上向きに引き出すことができる。又、腕置き部３１と腕置き部収納部３３の腕載置面（上面）は、腕の形状に応じて凹状に湾曲している。更に、腕帯部３の腕挿入口は後方下向きに傾斜している。このような構造は、図２０に示すように、人間の腕（上腕・肘・下腕）の形状に応じて人間工学的に構成されたもので、腕を自然で楽な状態で支えることができる。そして、血圧測定時、即ち腕帯部３に腕を挿入するときは、腕置き部３１を腕置き部収納部３３から後方に引き出すことで、特に下腕の中心よりも手首側の部分が腕置き部３１で支持され、腕が安定するので、血圧測定中に腕が動いたり、余分な力が掛かったりせず、正確な血圧測定を行うことができる。
【００２３】
又、腕置き部３１の先端部３２の腕載置面が先端部３２以外の腕載置面の延伸方向に対して角度βで本体１の上側に延伸している（図１２参照）。この角度βは２〜７°であり、好適には約４°である。このようにすることで、先端部３２を含む腕置き部３１が腕の形状に一層フィットし易くなり、腕の安定性が更に増し、より正確な血圧測定を行うことができる。
【００２４】
ところで、この血圧測定装置では、腕帯３０は腕帯カバーを介して腕に巻付けられるが、腕帯カバーの一例を図１４〔一部破断平面図（ａ）、正面図（ｂ）〕に示す。この腕帯カバー９０は、断面逆Ｕ字状であり、布９１の両端に逆Ｕ字形状のリング９２が設けられ、下部側の一端のほぼ中央に止め具９３が設けられている。
【００２５】
この腕帯カバー９０は、図１３に示すように、腕帯部３の腕挿入口側の本体１のハウジング１００の内側に設けられた腕帯カバー取付け用の溝１０１に、一方のリング９２の下側部分と止め具９３が嵌め込まれると共に、腕挿入口とは反対側の本体１に設けられた溝１０１′に、他方のリング９２の下側部分が嵌め込まれることで、ハウジング１００に着脱可能に取付けられる。血圧測定時に腕帯３０が空気の供給により膨らむと、布９１が押されて腕を圧迫する。布９１が汚れた場合は、腕帯カバー９０をハウジング１００から取り外して洗うか、新しいものと交換する。
【００２６】
なお、ここでは、溝１０１，１０１′は前側と後側の両方に設けられているが、前側又は後側だけに溝を設け、腕帯カバー９０の一方のリング９２の下側部分だけを嵌め込むようにしてもよい。いずれにしても、この構造によれば、腕帯カバー９０の着脱はハウジング１００の内側に設けた溝１０１，１０１′で行うので、面ファスナが不要となり、面ファスナを用いた場合に比べて着脱時に衣服等を傷めることがない。
【００２７】
一方、腕帯３０は、腕帯部３に対応する本体ハウジングに固定されているが、その固定構造を図１５（部分拡大断面図）に示す。腕帯３０は、これを支持するハウジング１００に設けられた腕帯支持部１１０に、少なくとも前後の２箇所にてネジ１０５で固定されている。更にネジ１０５は腕帯支持部１１０を貫通し、腕帯支持部１１０の下側に位置するベース１１に螺合されている。このネジ１０５による固定位置は、腕帯３０の腕挿入口の中心下部又は中心下部よりも腕帯３０の可動端３０ａが引っ張られる方向側（ここでは左側）の下部である。なお、腕帯３０は、従来通りの構造でよく、例えば布の中に可撓性のカラーと空気袋が収納されたものであり、そのうちのカラーがネジ１０５で固定される。      
【００２８】
腕帯３０の固定位置を前記のようにすることで、腕帯３０で腕を圧迫する際に腕帯３０の可動端３０ａが移動しても、腕が腕帯３０の一方側に偏るようなことがなく、腕帯３０が腕に均一に巻付けられる。特に、細腕の場合も、腕が腕帯３０の引っ張られる方向とは反対側（ここでは右側）に引っ張られ難くなり、腕帯３０が腕に良くフィットして巻付けられる。
【００２９】
他方、図８及び図１６において、腕帯３０を支持する本体ハウジング１００の腕帯支持部１１０は、腕挿入口の中心Ｐ下部よりも腕帯３０の可動端３０ａが引っ張られる方向側の下部を支える支持面１１０ａの曲率半径が、引っ張られる方向側とは反対側の下部を支える支持面１１０ｂの曲率半径よりも大きい湾曲形状である。つまり、支持面１１０ａが支持面１１０ｂより緩斜面となっている。これにより、腕帯３０の腕へのフィット性がより一層向上する。
【００３０】
次に、プリンタ部４の構造について図１７（プリンタカバーを取り除いた状態の要部平面図）、図１８（プリンタカバーを閉じた状態の要部断面図）、及び図１９（プリンタカバーを開いた状態の要部断面図）を参照して説明する。このプリンタ部４では、プリンタカバー４０が本体１に開閉可能に取付けられ、プリンタカバー４０は、印字済用紙の出口４１、出口４１を覆う出口カバー４２、及び突起４３を有する。プリンタカバー４０の突起４３が本体１側の溝１２５に嵌合することで、プリンタカバー４０が本体１に閉じた状態で固定される。
【００３１】
プリンタ部４の本体１側には、印字用紙収納部１２１が設けられ、収納部１２１に印字用紙ロール１３０が収納される。ロール１３０の印字用紙１３１は、印字用紙収納部１２１からプリンタ１２０の用紙挿入口に挿入され、印字済用紙がプリンタカバー４０の出口４１から排出される。ここでは、印字用紙収納部１２１からプリンタ１２０の用紙挿入口にかけて、印字用紙１３１を用紙挿入口に向かって斜め下方に案内する用紙案内平面部１２２が設けられている。更に、用紙案内平面部１２２の用紙挿入方向の両側に、用紙１３１を用紙挿入口に案内するリブ１２３が設けられている。
【００３２】
この用紙案内平面部１２２により、プリンタ１２０の用紙挿入口に印字用紙１３１を入れ易くなる。特に、このプリンタ部４のように印字済用紙の出口４１よりも用紙挿入口が手前側にある場合でも、印字用紙１３１を持った手が本体１のハウジングに当たり難く、用紙挿入口に印字用紙１３１を容易に挿入できる。しかも、リブ１２３により、印字用紙１３１を用紙挿入口に真っ直ぐに入れるのが容易となり、プリンタ１２０への印字用紙１３１のセットがより一層簡単になる。
【図面の簡単な説明】
【００３３】
【図１】一実施形態に係る血圧測定装置の外観斜視図である。
【図２】同装置の背面図である。
【図３】同装置の正面図である。
【図４】同装置の平面図である。
【図５】同装置の左側面図である。
【図６】同装置の右側面図である。
【図７】同装置における腕帯移動機構を示す主要部の平面図である。
【図８】同腕帯移動機構の主要部の正面図である。
【図９】図８のＡ−Ａ線における断面図（ａ）、及びＢ−Ｂ線における断面図（ｂ）である。
【図１０】同装置における腕帯移動機構以外の内部構造を示す平面図である。
【図１１】同装置の腕帯部を示す要部断面図である。
【図１２】同装置の腕帯部から腕置き部を引き出した状態の要部断面図である。
【図１３】図１２に示す状態において、腕帯部に腕帯カバーを取付けた状態の要部断面図である。
【図１４】腕帯部に設けられる腕帯カバーの一部破断平面図（ａ）、及び正面図（ｂ）である。
【図１５】腕帯部における腕帯の固定構造を示す部分拡大断面図である。
【図１６】腕帯部における腕帯支持部の形状を示す部分拡大断面図である。
【図１７】同装置のプリンタ部において、プリンタカバーを取り除いた状態の要部平面図である。
【図１８】同プリンタ部において、プリンタカバーを閉じた状態の要部断面図である。
【図１９】同プリンタ部において、プリンタカバーを開いた状態の要部断面図である。
【図２０】同装置の腕帯部に腕を挿入した状態の要部断面図である。
【図２１】被測定者が同装置の腕帯部に腕を挿入した測定状態を示す平面図である。
【図２２】被測定者が同装置の腕帯部に腕を挿入した測定状態を示す側面図である。
【図２３】従来例に係る装置の腕帯部に腕を挿入した測定状態を示す平面図である。
【図２４】従来例に係る装置の腕帯部に腕を挿入した測定状態を示す側面図である。
【符号の説明】
【００３４】
１            本体
２            表示部
３            腕帯部
４            プリンタ部
５            非常停止ボタン
３０          腕帯
３０ａ        腕帯の可動端
３１          腕置き部
９０          腕帯カバー
101,101 ′    腕帯カバー取付け用の溝
１１０        腕帯支持部
１２０        プリンタ
１２２        用紙案内平面部
１２３        リブ
１３１        印字用紙
【図１】
2005095657.tif 000003
【図２】
2005095657.tif 000004
【図３】
2005095657.tif 000005
【図４】
2005095657.tif 000006
【図５】
2005095657.tif 000007
【図６】
2005095657.tif 000008
【図７】
2005095657.tif 000009
【図８】
2005095657.tif 000010
【図９】
2005095657.tif 000011
【図１０】
2005095657.tif 000012
【図１１】
2005095657.tif 000013
【図１２】
2005095657.tif 000014
【図１３】
2005095657.tif 000015
【図１４】
2005095657.tif 000016
【図１５】
2005095657.tif 000017
【図１６】
2005095657.tif 000018
【図１７】
2005095657.tif 000019
【図１８】
2005095657.tif 000020
【図１９】
2005095657.tif 000021
【図２０】
2005095657.tif 000022
【図２１】
2005095657.tif 000023
【図２２】
2005095657.tif 000024
【図２３】
2005095657.tif 000025
【図２４】
2005095657.tif 000026